【事件の表示】
　上記当事者間の特許第５９４５０５０号発明「複数枚の布の縫合及びその縫合用ミシン」の特許無効審判事件について、次のとおり審決する。
【結　論】
　本件審判の請求は、成り立たない。
　審判費用は、請求人の負担とする。
【理　由】
第１．手続の経緯
　本件特許第５９４５０５０号についての主な手続の経緯は以下のとおりである。
平成２７年　９月２８日　本件出願（優先権主張　平成２７年３月２４日）
平成２８年　６月　３日　設定登録（特許第５９４５０５０号）
平成２８年１２月１５日　特許異議申立（異議２０１６−７０１１４８）
平成２９年　２月２１日　異議の決定
平成２９年　４月２０日　審判請求書
平成２９年　７月１１日　審判事件答弁書
平成２９年　８月　４日　審理事項通知（１）
平成２９年　９月　８日　口頭審理陳述要領書（請求人）
平成２９年　９月　８日　口頭審理陳述要領書（被請求人）
平成２９年　９月１２日　補正許否の決定
平成２９年　９月１３日　審理事項通知（２）
平成２９年　９月２９日　口頭審理陳述要領書（２）（請求人）
平成２９年　９月２９日　口頭審理陳述要領書（２）（被請求人）
平成２９年１０月　２日　審理事項通知（３）
平成２９年１０月１３日　口頭審理陳述要領書（３）（請求人）
平成２９年１０月１３日　口頭審理陳述要領書（３）（被請求人）
平成２９年１０月１３日　口頭審理
　以下、審判請求書を「請求書」、審判事件答弁書を「答弁書」、請求人あるいは被請求人が提出した口頭審理陳述要領書を提出順に「請求人要領書（１）」等と、口頭審理調書を「調書」と略記する。
　また、本件特許の請求項１に係る発明等を「本件発明１」等と、甲第１号証等を「甲１」等と、甲第１号証に記載された事項及び発明等を「甲１事項」及び「甲１発明」等と略記する。
　さらに、本審決において、記載箇所を行数により特定する場合、行番号が付されているときはそれに従い、付されていないときは空白行を含まない行数による。
第２．本件発明
　本件発明１〜７は、本件特許の特許請求の範囲の請求項１〜７に記載された以下のとおりのものである。
「【請求項１】
　複数枚の布（１ａ、１ｂ）を重ね、その重ねた布（１ａ、１ｂ）の縫合箇所に毛糸（２）を載せ、その毛糸（２）も含めて前記複数枚の布（１ａ、１ｂ）を突き通すニードルフェルティングを行い、前記毛糸（２）の繊維（２ａ）を前記複数枚の布（１ａ、１ｂ）の繊維に絡ませてその複数枚の布（１ａ、１ｂ）を縫合するミシンであって、
　上記複数枚の布（１ａ、１ｂ）を重ねて載置する縫合台（１６）と、フェルティング針（３）と、そのフェルティング針（３）を覆う安全カバー（１２、１２’）の下端の毛糸ガイド（１３、１３’）と、前記重ねられた複数枚の布（１ａ、１ｂ）に向かって前記フェルティング針（３）を昇降する手段と、を有し、ボビン又は毛糸玉（Ｂ）から上記毛糸（２）を前記毛糸ガイド（１３、１３’）によって上記縫合個所に導き、前記フェルティング針（３）を昇降させることにより、上記ニードルフェルティングを行って前記複数枚の布（１ａ、１ｂ）を縫合するミシン。
【請求項２】
　請求項１に記載のミシン（Ａ２）において、そのミシンハウジング（１０ａ、１０ｂ、１０ｃ）は、基台（１１０）の一端上面から立ち上がる脚部（１２０）と、その脚部（１２０）の上部から前記基台（１１０）の他端方向に延びる水平方向のアーム部（１３０）と、そのアーム部（１３０）の先端部から下方に延びる頭部（１４０）とから成り、
　上記フェルティング針（３）を昇降する手段は、電動機（１２３）により回転する水平方向の駆動軸（１３１）と、その駆動軸（１３１）の直交方向所要位置に駆動軸（１３１）と一体に設けられた水平方向の駆動ピン（１３６）と、上記フェルティング針（３）を有して上下に移動する昇降体（１４１）とからなり、
　上記駆動軸（１３１）及び昇降体（１４１）は上記ミシンハウジング（１０ｂ、１０ｃ）内に設けられており、
　上記昇降体（１４１）は、上記駆動ピン（１３６）が摺動自在に嵌った水平方向の摺動溝（１４５）を有して、駆動軸（１３１）の回転によってその駆動ピン（１３６）及び摺動溝（１４５）を介して昇降し、
　上記頭部（１４０）のミシンハウジング（１０ｃ）下部に上記安全カバー（１２’）が設けられているミシン。
【請求項３】
　上記駆動軸（１３１）に同一軸心で設けられたパルサーリング（１３４）と、そのパルサーリング（１３４）の回転数を検出する回転センサ（１３５）とを、さらに有して、そのパルサーリング（１３４）と回転センサ（１３５）は上記ミシンハウジング（１０ｂ、１０ｃ）内に設けられている請求項２に記載のミシン。
【請求項４】
　上記フェルティング針（３）を有する昇降体（１４１）は、上記ミシンハウジング（１０ｂ）に取り外し可能のブロック（１４２）に設けられ、そのブロック（１４２）は、上下方向のガイド軸（１４３）を介して前記昇降体（１４１）を昇降自在に支持している請求項２又は３に記載のミシン。
【請求項５】
　毛糸玉（Ｃ）から引き出した毛糸（２）を案内するガイド溝（１３８）がミシンハウジング（１０ａ、１０ｂ、１０ｃ）のアーム部（１３０）の先端部上面に設けられ、毛糸玉（Ｃ）からの毛糸（２）は前記ガイド溝（１３８）から上記安全カバー（１２’）下端の毛糸ガイド（１３’）に導かれる請求項２〜４の何れか一つに記載のミシン。
【請求項６】
　上記縫合台（１６）は、上記基台（１１０）に上下方向に移動可能に設けられるとともに、弾性体（１１１）によって昇降可能に支持されている請求項２〜５の何れか一つに記載のミシン。
【請求項７】
　上記アーム部（１３０）の後部にハンドル（１２４）が上記駆動軸（１３１）の軸心回りに回転自在に設けられており、そのハンドル（１２４）は、前記駆動軸（１３１）にクラッチ継手（１２６）を介して連結されているとともにその軸心方向に移動自在になって弾性体（１２７）により連結離反方向に付勢されて前記クラッチ継手（１２６）により連結が切り離されるようになっており、
　上記弾性体（１２７）に抗してハンドル（１２４）を駆動軸（１３１）側に押し込むことによって、クラッチ継手（１２６）を介してハンドル（１２４）と駆動軸（１３１）が連結されて一体に回転するようになっている請求項２〜６の何れか一つに記載のミシン。」
第３．請求人の主張
　請求人は、本件発明１〜７についての特許を無効とする、審判費用は被請求人の負担とする、との審決を求めており、その主張の概要、証拠方法は以下のとおりである。
１．無効理由
　本件発明１は、甲１発明である、若しくは、甲１発明に、甲２事項又は甲３事項を適用することにより、当業者が容易に発明をすることができたものである。
　したがって、本件発明１は、特許法第２９条第１項第３号に該当し、特許を受けることができないものであるか、又は、特許法第２９条第２項の規定により、特許を受けることができないものである。
　本件発明２〜４は、甲１発明に、甲４事項を適用することにより、若しくは、甲１発明に、甲２事項又は甲３事項、並びに、甲４事項を適用することにより、当業者が容易に発明をすることができたものである。
　したがって、本件発明２〜４は、特許法第２９条第２項の規定により、特許を受けることができないものである。
　本件発明５は、甲１発明に、甲４事項及び甲５事項を適用することにより、若しくは、甲１発明に、甲２事項又は甲３事項、甲４事項、並びに、甲５事項を適用することにより、当業者が容易に発明をすることができたものである。
　したがって、本件発明５は、特許法第２９条第２項の規定により、特許を受けることができないものである。
　本件発明６〜７は、甲１発明に、甲４事項ないし甲６事項を適用することにより、若しくは、甲１発明に、甲２事項又は甲３事項、甲４事項、甲５事項、並びに甲６事項を適用することにより、当業者が容易に発明をすることができたものである。
　したがって、本件発明６〜７は、特許法第２９条第２項の規定により、特許を受けることができないものである。
　よって、本件発明１〜７に係る特許は、特許法第１２３条第１項第２号に該当し、無効にすべきものである。（請求書１２頁１１〜２０行、調書の「請求人」の２）
２．縫製用の縫針と釜機構を有するか否かに係る相違点について
　甲１に記載されたミシンでは、通常縫製と、刺繍的な装飾模様を形成するニードルパンチング加工とが、同時に行われることはないから、甲１の「ひとまとまりの構成及び技術的思想」として、通常縫製に係る構成を抽出する必要はなく、ニードルパンチング加工に係る構成を抽出すれば足りるのであって、縫製用の縫針と釜機構を有するか否かに係る相違点は、実質的な相違点とはなりえない。（請求人要領書（１）７頁１６〜末行、同１０頁１０〜１２行）
３．フェルティング針の加工布が複数枚であるか否かに係る相違点について
（１）フェルティング針の加工布が複数枚である旨の本件発明１の発明特定事項は、使い方に属するものであって、物の発明としての構成を何ら特定するものではなく、物の特定に実質的に役立っていない。さらに、甲１発明において、加工布を複数枚としてニードルフェルティングを行うことが、甲１発明の構成上不可能である理由もない。
　また、発明の効果についてみると、本件発明１の効果は「布の種類に拘わらず、複数枚の布を容易にかつ強固に縫合することができるとともに、その縫合線はニードルフェルティングによる刺繍と同形状となり、布の縫合と刺繍を同時に行い得る」（本件特許明細書の段落【００１２】）ものであり、縫合線がニードルフェルティングによる刺繍と同形状であれば、布の縫合と刺繍を同時に行い得るとの効果が明示されている。一方、甲１発明の効果は、装飾用とされる毛糸と加工布に対してニードルフェルティングを行うことで刺繍を施すことができる（甲１の段落【００１９】）から、甲１発明においても、本件発明１と同様に、布の種類に関わらず、複数枚の布を容易にかつ強固に縫合することができるとともに、布の縫合と刺繍を同時に行うことができるとの効果を奏するといえる。（請求書２７頁１６行〜２８頁９行、請求人要領書（１）１０頁１４〜１６行）
（２）仮に実質的な相違点だとしても、複数枚の布と毛糸を合わせてニードルフェルティングを行うことは、甲２及び甲３に開示されている。そして、甲１発明と甲２及び甲３とは技術分野が同一であるから、本件発明１は、甲２事項又は甲３事項を甲１発明に適用することにより、当業者が容易に推考し得る発明である。（請求書２８頁１３〜２２行）
（３）甲１の「ニードルパンチング加工用の装飾材としては、前記実施の形態の毛糸８１の他、綿、不織布、フェルト等、種々の材料を使用することができる。」（段落【００６０】）との記載から、甲１発明も、例えば不織布やフェルトを装飾材として加工布８０の上に載置し、毛糸を布押え４８の案内穴４８ｆに通すようにすれば、複数枚の布に対して毛糸と共にニードルパンチング加工を行うことができるから、甲１発明のミシンが複数枚の布を毛糸で縫合することができるといえる。（請求人要領書（１）９頁１８〜２５行）
（４）ア．甲１０の１から裏付けられるように、フェルティングは、フェルティングを行う者により様々なものを創造して作ることができるものであり、その中には、例えばリボンや星形に切り抜いた布を被服やバックに載置して、毛糸と共に刺繍的に取り付けることもあることは普通に考えられることである。このように、例えばベースとなる被服やバックと、リボンや星形に切り抜いた布と、毛糸と、のように、フェルティングを行う者が３つ以上の被加工物を加工したい場合には、甲１発明のミシンを用いることが可能であることから、甲１発明のミシンでニードルパンチング加工により複数枚の布を縫合するものに換えることがあるといえる。（請求人要領書（１）９頁２８行〜１０頁８行、請求人要領書（２）３頁４〜２８行）
イ．甲１０の１には、ウール生地のベストにウール生地のアップリケが毛糸と共にフェルティングされる旨が記載される。特に、８１頁の６．には、「毛糸は重ね合わせたアップリケと基布の両方を完全に突き刺し、ベストの裏側に小さなループが見えるようにします。」とあるように、複数枚の布である「アップリケと基布」を、葉脈を形成する「毛糸」により縫合することが説明されている。以上より、複数枚の布を毛糸とフェルティングして縫合する旨は技術常識であるといえる。（請求人要領書（２）４頁１〜１５行）
ウ．甲１０の１の手順６による毛糸の状態は、甲６の図３〜図５の状態とは異なるが甲１の図１３とも異なり、毛糸の一部が布に押し込まれており、他の一部が布の裏側に小さなループを形成していると考えられ、「毛糸の繊維を複数枚の布の繊維に絡ませてその複数枚の布を縫合する」といえる。（請求人要領書（３）３頁１１〜２４行）
４．毛糸ガイドに係る相違点について
（１）毛糸ガイドが、安全カバーの下端に設けられるのか、下方に設けられるのかは、毛糸を前後方向に案内するという機能が同じである以上、実質的な相違点とはなりえない。また仮に、実質的な相違点であるとしても、毛糸ガイドと安全カバーが、甲１のように別体とされるものを、本件発明１のように一体とすることは、単なる設計事項であり、容易想到である。（請求人要領書（１）１０頁１８〜２２行）
（２）ア．甲１発明の「案内穴４８ｆを備える布押え４８」及び「保護カバー４６」を一体化する際に、甲６の「毛糸ガイド用の横孔９が下端近傍に形成される筒体６」又は甲１４の「毛糸ガイド用の切欠き６が下部に形成される筒体５」を甲１発明の「案内穴４８ｆを備える布押え４８」及び「保護カバー４６」に適用して置換すれば、毛糸ガイドが形成される位置が「下端」か「下端近傍」、「下部」である点を除けば、本件発明１における「そのフェルティング針（３）を覆う安全カバー（１２、１２’）の（下端の）毛糸ガイド（１３、１３’）」と同じ構成となり、さらに、糸を孔でガイドするか溝でガイドするかは、何れも公知技術（甲１５）であり、何れの方式でガイドするかは設計事項といえるから、孔を溝として毛糸ガイドが形成される位置を「下端近傍」、「下部」から「下端」に変更することは容易である。（請求人要領書（３）３頁下から５行〜５頁３行）
イ．甲１５の第１図及び第２図の刺しゅう用ミシン１には、本件発明１の「安全カバー（１２、１２’）」に相当する「保護筒２２」が開示されている。そして、この「保護筒２２」には、糸のガイドとしては機能しないが、「保護筒２２」の前面から下面に亘って形成される溝が開示される。このように、本件特許における図２、図５等の「ガイド溝１３、１３’」と同一の形態が甲１５に開示されている。（請求人要領書（３）５頁４〜９行）
５．証拠方法
　請求人が提出した証拠は、以下のとおりである。
　なお、甲１ないし１５の成立について争いはない（被請求人要領書（１）２頁下から３行、被請求人要領書（３）２頁４行、調書の「被請求人」の２）。
甲１　　　　特開２００４−２２２８９５号公報
甲２　　　　米国特許出願公開第２０１３／０２５５０４７号明細書
甲３　　　　特開平１０−１６８７３５号公報
甲４の１　　商品名「フェルティミシン」に係る通販サイトの写し
甲４の２　　商品名「フェルティミシン」の分解写真
甲５　　　　特開２００６−２７４４７１号公報
甲６　　　　実公昭５８−４５５６号公報
甲７の１　　株式会社タカラトミーの連結管理本部　法務部　知的財産課　課長　新藤　剛氏による２０１７年８月３１日付け陳述書（原本）
甲７の２　　スピン・マスター・リミテッドの社内の電子メールの写し
甲７の３　　３Ｄ−ＣＡＤデータの内容を示す書面
甲７の４　　甲７の２で示す電子メールに記載されるメンバーの所属部署及び所在地の一覧
甲８　　　　本件特許の実施品である「毛糸ミシンＨｕｇ」の取扱説明書の写し
甲９　　　　知財高判平１８．１１．２７　平成１８年（行ケ）１０２０７　判決書の写し
甲１０の１　Linda Turner Griepentrog and Pauline Wilde Richards、「Needle Felting by Hand or Machine」、krause publications、２００７年　の写し
甲１０の２　甲１０の１が平成１９年６月２０日に発行された旨を証するネット通販サイト（アマゾン）の写し
甲１０の３　甲１０の１の翻訳文（一部）
甲１１　　　甲７の２で示す電子メールの翻訳文
甲１２　　　スピン・マスター・リミテッドのコンシューマープロダクツ部門　デザイン・ディレクター　ステファニー　レモン氏による２０１７年９月１９日付け陳述書の写し
甲１３　　　甲１０の１の８０頁の翻訳文の写し
甲１４　　　実願昭５５−７２９９３号（実全昭５６−１７３３９９号）のマイクロフィルム
甲１５　　　実願昭５８−７２１９２号（実全昭５９−１７７４９６号）のマイクロフィルム
第４．被請求人の主張
　被請求人は、本審判請求は成り立たない、審判費用は請求人の負担とする、との審決を求めており、その主張の概要、証拠方法は以下のとおりである。
１．縫製用の縫針と釜機構を有するか否かに係る相違点について
（１）甲１発明において縫製用の第１の針と糸捕捉手段は、甲１の段落【０００６】、【００２２】より、甲１発明の課題解決のためには必須の構成であり、省略できるものではない。一方、本件発明１は、糸捕捉手段を有しないから、甲１発明に比べて構造が簡単である。（答弁書６頁１２〜２１行）
（２）甲１発明では、縫合には第１の針（縫針１３）を用いることが想定されているから、あえて、パンチング針により縫合する動機付けはない。
　一方、本件発明１は、複数枚の布を、毛糸を縫合用糸としてニードルフェルティングによって縫合することで、「布の種類に拘わらず、複数枚の加工布を容易かつ強固に縫合することができるとともに、その縫合線はニードルフェルティングによる刺繍と同形状となり、布の縫合と刺繍を同時に行い得るものとなる。」という作用効果を発揮する。（答弁書７頁４〜１６行）
（３）甲１発明は、釜機構１０等からなる複数の布を縫合する機構と、パンチング針１４等からなる毛糸による刺繍機構と、をそれぞれ有し、その縫合と刺繍の各作用を別々に行い得るものであり、刺繍機構は、複数の布を毛糸でもって縫合する必要はない。このように、別に「複数の布を縫合する機構」を有するのであるから、刺繍機構によって複数の布を縫い合わせようとする動機は生じない。よって、甲１発明において、毛糸による刺繍機構によって、複数の布を縫合する考えは生じない。この様なミシンにおいて、本件発明１との対比において、本件発明１に相当しない縫合機構を捨象し、同相当するそのミシンの構成のみを抽出することは妥当ではない。甲１のミシンは、縫合機構と刺繍機構を有機的に一体に有するものであって、恣意的に他方（縫合機構）を省略して抽出すべきではない。（被請求人要領書（１）５頁１１〜２３行）
２．フェルティング針の加工布が複数枚であるか否かに係る相違点について
（１）甲２及び３に記載されたものは、「複数の布にニードルフェルティングを行い、そのニードルフェルティングによる各布自身の繊維の絡み合いによって布同士を一体化する」ものであって、「複数枚の布を、毛糸を縫合用糸としてニードルフェルティングによって縫合する」ものではない。（答弁書５頁１８〜２２行）
（２）甲１０の１の手順６は、針を１／２インチ前進、１／４インチ後進を繰り返して、毛糸によって葉脈を刺繍として形成するものであり、その葉脈の刺繍形成に伴ってアップリケが基布に縫い合わされるのであって、アップリケを基布に積極的に縫合するものではない。
　また、通常、この種のフェルティングミシンにおいて、毛糸でもって刺繍する際、布を動かし、針を前後進することはない。手順６は、手によるフェルティングと考える。
　さらに、甲１０の１の記載内容は、技術常識ではない。（被請求人要領書（３）２頁下から６行〜３頁２行、同３頁下から１０行〜４頁下から９行、同５頁下から８行〜６頁１３行）
３．毛糸ガイドに係る相違点について
　安全カバーの下端は、布に対向するため、その下端のガイドも、毛糸をガイドから下方の布に載置する（押し出す）必要があることから、その方向に開口する下向き開口の溝状とならざるを得ない。すなわち、本件発明１のガイドは、段落【００１７】に記載の「布１の縫合線に沿うように毛糸２を導くもの」であって、段落【００２９】、【００３３】に記載のように、「溝状」であって、図２、図１２等に示すように、下向き開口の溝状とならざるを得ない。このようなガイドは、子供であっても毛糸を嵌め易いものであるとともに、ガイドによって毛糸が縫合方向に導かれるため、フィルティング針が毛糸に確実に突き刺さって布にも突き刺さるものとなる。
　甲１発明は、保護カバー４６を有するにもかかわらず、従来の縫合ミシンと同様に、毛糸を案内する布押え４８を押え棒４４にわざわざ設けており、その布押え４８の毛糸案内（毛糸ガイド穴４８ｆ等）に代えて、保護カバー４６の下端に（布１の縫合線に沿うように毛糸２を導く下向き開口の溝状）毛糸ガイド（１３、１３’）を設けることは、当業者であっても容易ではなく、ましてや設計事項ではない。（被請求人要領書（２）２頁１７行〜３頁９行、被請求人要領書（３）７頁４〜１８行）
４．証拠方法
　被請求人が提出した証拠は、以下のとおりである。
　なお、乙１の成立について争いはない（調書の「請求人」の４）。
乙１　本件特許に対する特許異議申立における「異議の決定」（異議２０１６−７０１１４８）
第５．当審の判断
１．甲号証に記載された事項及び発明
（１）甲１
ア．甲１の記載事項
　甲１には、以下の事項が記載されている。
「【請求項１】
ミシン本体に上下動自在に配設された針棒と、この針棒の下端部に縫製用の目孔付きの第１の針を固定する為の針抱きと、前記第１の針を用いて縫製する際に針棒の下方において糸を捕捉する糸捕捉手段とを備えたミシンにおいて、
前記針棒から水平方向に所定距離離隔して位置する第２の針と、
前記針棒を挟持可能な第１の挟持部と第２の針を挟持可能な第２の挟持部とを有し第２の針を針棒に取付ける為の針取付具と、
前記第２の針が通過する針穴を有する針板とを備え、
前記針取付具に、前記針棒と第２の針とを挟持する方向に締結部材が装着され、
締結部材を締結することにより第１、第２の挟持部で針棒と第２の針とを挟持するように構成したことを特徴とするミシン。」
「【００１７】
このミシンは、加工布等の上に戴置された毛糸や綿等の装飾材等の一部を、複数の針本体部を有する第２の針により加工布の中に上から押し込んで、加工布等に刺繍的な装飾模様を施す、いわゆるニードルパンチング加工を可能に構成されている。即ち、針板上に加工布及び装飾材などからなる２つの被加工物が上下に重ねて戴置された状態で、針取付具を介して針棒から所定距離離れた位置に取付けられた第２の針を上下動させると、第２の針の複数の針本体部に形成された複数の引掛け爪が上側の被加工物の一部を引っ掛け、その状態で第２の針を２つの被加工物に貫通させることで、下側の被加工物に装飾模様が施される。」
「【００２０】
…このミシンＭにおいては、図３、図４に鎖線で示すように、ヘッド部４の針棒３０の下端部に縫製用の目孔１３ａ（図８参照）付きの縫針１３（第１の針に相当する）を装着した状態では、上糸と下糸を交絡させてベッド部１に戴置された加工布に縫目を形成する通常縫製を行うことができる。
【００２１】
一方、図１〜図４に実線で示すように、針棒３０から水平方向左方に所定距離離隔した位置に後述のパンチング針１４（フェルティングニードルともいい、第２の針に相当する）を装着した状態では、図１２、図１３に示すように、パンチング針１４により、ベッド部１上の加工布８０（下側の被加工物）の上に重ねた装飾材としての毛糸８１（上側の被加工物）を加工布８０に押し込んで、上糸や下糸を用いずに加工布８０に刺繍的な装飾模様を形成するニードルパンチング加工を加工布８０に施すことができる。
【００２２】
図２、図４に示すように、ベッド部１の内部には、縫針１３を用いて通常縫製を行う際に針棒３０の下方において上糸を捕捉する釜機構１０（糸捕捉手段）が設けられており、ベッド部１において釜機構１０の上側には通常縫製用の針板１１とニードルパンチング加工用の針板１２の何れか一方が装着される。即ち、図５、図６（ベッド部１側から針板１１，１２を見た図）に示すように、ミシンＭには、釜機構１０の上側に位置し縫針１３が通過する針穴１１ａを備えた針板１１と、この釜機構１０よりも左方に位置しパンチング針１４が通過する針穴１２ａを備えた針板１２の、２種類の針板１１，１２が付属しており、通常縫製あるいはニードルパンチング加工を行う際に、これら２種類の針板１１，１２のうち一方を選択してベッド部１に装着するように構成されている。」
「【００２５】
図２〜図４に示すように、ヘッド部４には、ミシン本体としてのミシン機枠１８に上下動自在に配設された針棒３０と、この針棒３０を上下に駆動する針棒上下動機構３１と、ミシン機枠１８に上下揺動自在に配設された天秤３２と、針棒３０の下端部に縫針１３を固定する為の針抱き３３と、針抱き３３に縫針１３を装着して通常縫製を行う際に天秤３２から縫針１３の目孔１３ａへ延びる上糸を案内するワイヤ状の針棒糸案内３４などを備えている。さらに、ヘッド部４には、糸調子器３５、糸案内３６等も設けられている。」
「【００３０】
図２〜図４に示すように、ニードルパンチング加工を行う場合には、押え棒４４の下端部にはニードルパンチング用の保護カバーホルダ４５が連結される。この保護カバーホルダ４５には、透明な合成樹脂製の保護カバー４６が取付けられており、この保護カバー４６により、針棒３０の下端部付近の前方が覆われている。
【００３１】
さらに、保護カバーホルダ４５の左端部には、取付金具４７を介して平面視略矩形状で且つ透明な合成樹脂製の布押え４８が取付けられている。図９に示すように、布押え４８は、平面状に形成されパンチング針１４が通過する針穴１２ａ付近の加工布８０を押える押え部４８ａと、この押え部４８ａの前端部、左端部、及び右端部に夫々押え部４８ａから上方へ延びる鉛直壁状に形成された前壁部４８ｂ、左壁部４８ｃ及び右壁部４８ｄとを有する。押え部４８ａの中央部には、パンチング針１４が通過する円形穴４８ｅが形成されている。
【００３２】
さらに、前壁部４８ｂには、加工布８０の上に重ねられた毛糸８１を前後方向に案内する案内穴４８ｆも形成されている。従って、毛糸８１は、案内穴４８ｆにより後方へ案内され、さらに、押え部４８ａの上側から円形穴４８ｅを通って押え部４８ａの下側に出て、加工布８０の上に重ねて戴置される。ここで、毛糸８１が案内穴４８ｆを通過する際には、前壁部４８ｂに前後方向の力が作用することになるが、前壁部４８ｂは、左壁部４８ｃ及び右壁部４８ｄと一体形成されているため、前壁部４８ｂは左壁部４８ｃ及び右壁部４８ｄにより前後方向に支えられており、前壁部４８ｂが破損することがない。」
「【００３５】
ところで、前述したように、ミシンＭは、目孔１３ａ付きの縫針１３で針板１１上の加工布に通常の縫製を行う他に、針板１２上の加工布８０の上に毛糸８１を重ねて加工布８０にニードルパンチング加工を施すことが可能に構成されており、ミシンＭは、針棒３０から水平方向左方に所定距離離隔して位置するニードルパンチング用のパンチング針１４と、針棒３０を挟持可能な第１挟持部５１とパンチング針１４を挟持可能な第２挟持部５２とを有しパンチング針１４を針棒３０に取付ける為の針取付具５０とを有する。
【００３６】
図１０、図１１に示すように、パンチング針１４は、複数（例えば、５本）の針本体部１４ａと、これら複数の針本体部１４ａを保持し且つ針取付具５０の第２挟持部５２に挟持される針保持部１４ｂとを有する。図１１に示すように、複数の針本体部１４ａには夫々複数の引掛け爪１４ｃが形成されている。そして、針板１２上の加工布８０の上に毛糸８１を重ね合わせて布押え４８で上方から押えた状態で、針棒上下動機構３１により針棒３０を上下に駆動して、図４の実線に示す位置から鎖線に示す位置に亙ってパンチング針１４を上下動させると、図１２、図１３に示すように、複数の引掛け爪１４ｃにより毛糸８１の一部を引っ掛けて加工布８０に押し込みながら複数の針本体部１４ａが加工布８０と毛糸８１とを貫通するように構成されている。針保持部１４ｂは、上半部の小径部と下半部の大径部とからなり、小径部が針取付具５０の第２挟持部５２に挟持される。」
「【００３９】
この針取付具５０には、前後方向（針棒３０とパンチング針１４とを挟持する方向）に、ネジ径の異なる３本のビス５５〜５７が装着される。即ち、前側の挟持部材５３には、３本のビス５５〜５７のネジ径よりも僅かに大きい３つの穴が夫々形成されており、一方、後側の挟持部材５４には、３本のビス５５〜５７のネジ径と一致する雌ネジが切られた３つの穴が夫々形成されている。そして、３本のビス５５〜５７は、前側の挟持部材５３の３つの穴に夫々挿通されて、後側の挟持部材５４の３つの穴に夫々螺合可能である。３本のビス５５〜５７を緩めた状態（締結状態を解除した状態）では、１対の挟持部材５３，５４は互いに分離可能に構成されている。そして、３本のビス５５〜５７を締結することにより第１、第２挟持部５１，５２で針棒３０とパンチング針１４とを挟持するように構成されている。尚、図３に示すように、１対の挟持部材５３，５４が、針抱き３３の上端面に当接して上下方向に位置決めされた状態で、第１挟持部５１により針棒３０が挟持される。」
　図２〜４から、保護カバー４６が、パンチング針１４を覆うことが看取される。
　図２〜４、９から、案内穴４８ｆが、保護カバー４６の下方にあることが看取される。
イ．甲１に記載された発明
（ア）上記ア．に示した甲１の摘記から、甲１には、「ミシン本体に上下動自在に配設された針棒３０と、この針棒３０の下端部に縫製用の目孔１３ａ付きの縫針１３を固定する為の針抱き３３と、前記縫針１３を用いて縫製する際に針棒３０の下方において糸を捕捉する釜機構１０とを備えたミシン」（請求項１、【００２０】、【００２２】、【００２５】）において、「針棒３０から水平方向に所定距離離隔して位置するパンチング針１４」（【００２１】）と、「針棒３０を挟持可能な第１の挟持部５１とパンチング針１４を挟持可能な第２の挟持部５２とを有しパンチング針１４を針棒３０に取付ける為の針取付具５０」（【００３５】）を備え、「ヘッド部４の針棒３０の下端部に縫製用の縫針１３を装着した状態では、上糸と下糸を交絡させてベッド部１に戴置された加工布８０に縫目を形成する通常縫製を行うことができ」（【００２０】）るものが記載されている。
（イ）また、甲１のミシンは、「針棒３０から水平方向左方に所定距離離隔した位置にパンチング針１４を装着した状態では、ベッド部１上の加工布８０の上に重ねた装飾材としての毛糸８１を加工布８０に押し込んで、上糸や下糸を用いずに加工布８０に刺繍的な装飾模様を形成するニードルパンチング加工を加工布８０に施すことができ」（【００２１】）るものである。
（ウ）この甲１の「ニードルパンチング加工」のために、甲１のミシンは、「パンチング針１４が通過する針穴１２ａを有するニードルパンチング加工用の針板１２」（【００２２】）と、「重ねられた加工布８０及び毛糸８１に向かってパンチング針１４を上下動する針棒上下動機構３１」（【００３６】）を備え、「針取付具５０に、針棒３０とパンチング針１４とを挟持する方向にビス５５〜５７が装着され、ビス５５〜５７を締結することにより第１、第２の挟持部５１、５２で針棒３０とパンチング針１４とを挟持するように構成」（【００３９】）されている。そして、ニードルパンチング加工用の針板１２は、「加工布８０及び毛糸８１を重ねて戴置する」（【００１７】、【００２１】、【００２２】）ためのものである。
（エ）甲１のミシンは、「ニードルパンチング用の保護カバーホルダ４５に取付けられ、そのパンチング針１４を覆う透明な合成樹脂製の保護カバー４６」を有する（【００３０】、図２〜４）。そして、保護カバー４６の下方には、「保護カバーホルダ４５の左端部に取付金具４７を介して取付けられた布押え４８の前壁部４８ｂに形成された、毛糸８１を前後方向に案内する案内穴４８ｆ」（【００３１】、【００３２】、図２〜４、９）を有する。
（オ）甲１のミシンは、「毛糸８１を案内穴４８ｆによって後方へ案内し、さらに、押え部４８ａの上側から円形穴４８ｅを通って押え部４８ａの下側に出し、加工布８０の上に重ねて、パンチング針１４を上下動させることにより、ニードルパンチング加工を施して加工布８０に刺繍的な装飾模様を形成する」（【００１７】、【００３２】、【００３６】）ものである。
（カ）上記（ア）〜（オ）の事項を整理すると、甲１には、以下の甲１発明が記載されている。
「ミシン本体に上下動自在に配設された針棒３０と、この針棒３０の下端部に縫製用の目孔１３ａ付きの縫針１３を固定する為の針抱き３３と、前記縫針１３を用いて縫製する際に針棒３０の下方において糸を捕捉する釜機構１０とを備えたミシンにおいて、
　前記針棒３０から水平方向に所定距離離隔して位置するパンチング針１４と、
　前記針棒３０を挟持可能な第１の挟持部５１とパンチング針１４を挟持可能な第２の挟持部５２とを有しパンチング針１４を針棒３０に取付ける為の針取付具５０と、
　前記パンチング針１４が通過する針穴１２ａを有し、加工布８０及び毛糸８１を重ねて戴置するニードルパンチング加工用の針板１２とを備え、
　前記針取付具５０に、前記針棒３０とパンチング針１４とを挟持する方向にビス５５〜５７が装着され、
　ビス５５〜５７を締結することにより第１、第２の挟持部５１、５２で針棒３０とパンチング針１４とを挟持するように構成し、
　ヘッド部４の針棒３０の下端部に縫製用の縫針１３を装着した状態では、上糸と下糸を交絡させてベッド部１に戴置された加工布８０に縫目を形成する通常縫製を行うことができ、
　針棒３０から水平方向左方に所定距離離隔した位置にパンチング針１４を装着した状態では、ベッド部１上の加工布８０の上に重ねた装飾材としての毛糸８１を加工布８０に押し込んで、上糸や下糸を用いずに加工布８０に刺繍的な装飾模様を形成するニードルパンチング加工を加工布８０に施すことができ、
　ニードルパンチング用の保護カバーホルダ４５に取付けられ、そのパンチング針１４を覆う透明な合成樹脂製の保護カバー４６の下方の、保護カバーホルダ４５の左端部に取付金具４７を介して取付けられた布押え４８の前壁部４８ｂに形成された、毛糸８１を前後方向に案内する案内穴４８ｆと、
　重ねられた加工布８０及び毛糸８１に向かってパンチング針１４を上下動する針棒上下動機構３１と、を有し、
　毛糸８１を案内穴４８ｆによって後方へ案内し、さらに、押え部４８ａの上側から円形穴４８ｅを通って押え部４８ａの下側に出し、加工布８０の上に重ねて、パンチング針１４を上下動させることにより、ニードルパンチング加工を施して加工布８０に刺繍的な装飾模様を形成するミシン。」
（２）甲２
　甲２には、以下の事項が記載されている。
「[0022] The hand held felting device of the present disclosure is designed to felt two or more materials together, such as, but not limited to, yarn, cotton, silk, satin, felt, wool, and canvas.…」
（日本語訳（訳は、請求人提出の甲２の翻訳を参考に当審が作成した。以下同様。））
「［００２２］開示に係る手持ち式フェルティング装置は、糸、綿、絹、サテン、フェルト、羊毛や帆布のような、しかしこれらに限定されない２あるいはそれより多くの材料を、もつれた固まりに結合するように作られている。…」
（３）甲３
　甲３には、以下の事項が記載されている。
「【００２０】
【発明の実施の形態】この発明の実施形態を以下に添付図面に基づいて説明する。図１および図２に示すように、この発明の第１実施形態は、シート状のレーヨン不織布１、２、３、４を平織りのポリプロピレン糸製の基布５に４枚重ね、ニードルパンチングによって一体化した吸水性タフテッドカーペット用生地ａに、タフティングによってアクリル繊維製の疎水性パイル糸６を刺し込んで基布５の表面にカットパイルを形成した吸水性タフテッドカーペットＡである。」
「【００２４】この発明に用いる基布５は、それを構成する糸の繊維の材料および織り組織を特に限定採用したものではなく、たとえば、ポリプロピレン、アクリル、ポリエチレン、ナイロン、ポリエステル等の合成繊維の他、綿、羊毛、麻などの紡糸品を採用できる。基布の組織の織り目は、後工程のタフティングによってパイルを形成し易くするために、平織り、朱子織り等の目の粗い組織を採用することが好ましい。」
（４）甲６
　甲６には、以下の事項が記載されている。
「また、筒体６の下端近傍の側面には横孔９が形成されており、この横孔９は筒体６の内部空間に連通されている。
　この横孔９中にはアーム３の側面に回転自在に軸承されたボビン１０に巻回された毛糸１１が挿入され、筒体６の下端へと導かれる。」（１頁２欄２３〜２８行）
「まず、筒体６の横孔９から透孔６ａに毛糸１１を通してから、厚紙等からなる板材２０を筒体６の下端とベースよりわずかに突出したストツパー１６との間に挿入する。この状態で把手１２を下方に押すと、押圧軸７が下降し、筒体６の透孔６ａの下端付近に位置する毛糸１１は押圧軸７の凹部８中に嵌入した状態で斜壁６ｂに沿つてしごかれつつ、板材２０を貫通してストツパー１６の受孔１７中に押し込まれ、この動作中毛糸１１はストツパー１６の上端と筒体６の下端との間で挟持されるため、板材２０の上面側にはたるみができず、縫われた側の糸は引つ張られず、ストツパー１６の受孔１７中に押し込まれた毛糸１１のみがたるむ。」（２頁３欄２１行〜同４欄４行）
（５）甲１０の１
ア．甲１０の１には、以下の事項が記載されている。
「Free-Form Felting
Keep in mind that many needle felting creations can be done without any clearly defined plan-free-form design can just happen as you let the fibers and fabrics speak to you! These abstract arrangements are great fun to create and a good way to practice needle felting techniques. They're useful for small projects like pin cushions, purse flaps, collars, cuffs, etc. or they can be framed as art on their own.」（２８頁左欄１〜９行）
（日本語訳）
「フリーフォーム・フェルティング
ニードルフェルティングの作品は、前もってはっきりと細かいところまで決めずに、繊維や布地が語りかける声に耳を傾け「突然ひらめいた」デザインで作ることができます。このようにざっくりとした準備で製作できるのはニードルフェルティングの醍醐味であり、技術の習得にも大変役に立ちます。ニードルフェルティングは、針山、バッグのフラップ、襟、袖口などの小さな作品に最適で、それ自身がアートとして成り立ちます。」
「Felting
1 Gently pull apart the slubby yarn and untwist it to form gauzy fibers. Position the open yarn meandering along the vest front, up and over the shoulder area and about 6” down the back. Feather the yarn at both ends to finish.
Note: The design details will depend on the vest style and size; use the photograph as a guide and adapt the techniques to your vest
2 Using a felting tool or felting machine, lightly baste the yarns in place.
3 Pin the leaves in place as desired, varying the colors for interest.
4 Using a single needle, baste the leaves in place. Try on the vest and adjust the placement of yarn and/or leaves if desired.
5 Thoroughly felt the yarn and leaves in place from both sides using a multi-needle tool or a felting machine. The leaf edges may be left unfelted for dimension, if desired.
6 To create the leaf vein detailing, use needle punch yarn. Position the yarn down the leaf center and use a single felting needle to push it into the fabric. Move the needle forward 1/2 and insert the needle's barbed tip into the yarn to grab it. Gently pull the yarn back 1/4 toward the first stitch. Push the yarn through the applique（当審注：eはアキュート・アクセントが付されたものである） and into the base fabric forming a visible stitch. The yarn should be pushed completely through both fabric layers and a small loop should be visible on the vest underside. Repeat the process to detail the leaf veins.
7 When all the detail stitching is complete, turn the vest over and use a multi-needle tool or a felting machine to felt from the backside. Turn over again and repeat the felting process from the right side.
8 Back the vest applique（当審注：eはアキュート・アクセントが付されたものである） areas with fusible interfacing to secure them and the detail stitching in place.
9 Sew the decorative button on the vest overlap and stitch a snap underneath it for closing.」（８０頁１行〜８１頁末行）
（日本語訳）
「フェルティング
１　スラブ糸をそっとさいてほぐし、ガーゼのような繊維にします。ほぐした糸をベストの前部、上部、肩の部分、背中の方に６インチ下に下がったところまでくねらせながら置いていきます。最後に糸の両端をほぐします。
注）デザインの細かい部分はベストのスタイルやサイズによって異なります。写真を参考にして、それぞれのベストにあった技法を施してください。
２　フェルティングの道具やフェルティング機を使い、軽く糸の「仮縫い」をします。
３　好きな位置に葉っぱを針で留めます。何色かの葉っぱを使うのもいいでしょう。
４　１本針を使い、葉っぱの「仮縫い」をします。ベストを着てみて、糸や葉っぱの位置を必要に応じて調整してください。
５　複数本針の道具かフェルティング機で、表と裏の両面からしっかりと糸と葉っぱを適所にフェルティングします。葉っぱの端の部分は立体感を出すために、お好みでフェルティングを施さなくてもいいでしょう。
６　葉脈の飾りを作るには、ニードルパンチ用の毛糸を使います。毛糸を葉っぱの中央に置き、１本針のフェルティングニードルで布地に刺します。針を１／２インチ前に動かし、ギザギザした針の先端を刺して毛糸を引っかけます。毛糸を１／４インチほどゆっくりと最初に作った針目に引き戻します。毛糸をアップリケ、基布の順に刺し込み、「縫い目」をしっかり見えるように作っていきます。毛糸は重ね合わせたアップリケと基布の両方を完全に突き刺し、ベストの裏側に小さなループが見えるようにします。この手順を繰り返し、葉脈の飾り縫いを作ります。
７　すべての飾り縫いを終えたら、ベストを裏返し、複数本針の道具かフェルティング機を使い、裏側からフェルティングをします。再度、ベストを裏返して表側からフェルティングを繰り返します。
８　アップリケがある部分の裏側に可溶性の芯生地をあて、アップリケやアップリケに施された飾り縫いをしっかりと固定します。
９　ベストの重なり合う部分に飾りボタンを縫い付け、前を閉じられるようにその下にスナップボタンも付けます。」
　表紙の上部に、「Needle Felting by Hand or Machine」と記載されている。
　表紙の下部に、「Linda Turner Griepentrog and Pauline Wilde Richards」と記載されている。
　裏表紙の右下に、バーコードと共に「ＩＳＢＮ　９７８−０−８９６８９−４８５−３」と記載されている。
イ．甲１０の２はネット通販サイト（アマゾン）の写しであって、「Needle Felting by Hand or Machine」という書籍について、以下の事項が記載されている。
「Needle Felting by Hand or Machine
（英語）ペーパーバック−２００７／６／２０
Linda Turner Griepentrog（著）、Pauline Wilde Richards（著）」
「登録情報
　…
　　ISBN-13:987-0896894853
　　発売日：2007/6/20」
　甲１０の１は、甲１０の２に掲載された書籍と、書名、著者名、ＩＳＢＮのいずれも一致し、同一の書籍と認められる。したがって、甲１０の１の発売日は、甲１０の２に記載された２００７年６月２０日と認められる。
（６）甲１４
　甲１４には、以下の事項が記載されている。
「２．　実用新案登録請求の範囲
　基台の一側に固定し、端部を同基台上に所要間隔をおいて逆Ｌ字状に張出した腕部材と、同腕部材の端部に装着し下端を基台上に若干の間隙をおいて対向した筒体と、該筒体の下部に形成し、側方から糸を受入れ略水平に支承するための切欠きと、上記腕部材、筒体、基台を貫通して上下に摺動自在に装設した押圧軸と、同押圧軸上方に復帰させるためのスプリングと、同押圧軸の上部に設けた把手と、同押圧軸の下端に形成し糸を保持する凹溝と、その両側に板材に切込むための刃部を設けてなる玩具ミシン。」（１頁４〜末行）
（７）甲１５
　甲１５には、以下の事項が記載されている。
「前記ヘツド３は左右に分割されており、一方の上面端部に糸６のガイド筒７を突設するとともに、中間部には糸かけ８を立設している。」（４頁７〜９行）
「…そして、該半円筒２１の下面には、透明な保護筒２２を垂設している。」（６頁３〜５行）
　第１〜２図から、ガイド筒７の上端、及び、保護筒２２の前面から下面に亘り、溝が看取される。
２．本件発明１についての判断
（１）本件発明１と甲１発明の技術的意義について
ア．（ア）本件特許明細書によれば、従来より、ニードルフェルティングには「羊毛等のフェルティング用生地（糸）を特殊な針先をしたフェルティング針で刺し、フェルティング用生地内の繊維同士を絡ませることによって刺繍」するものや「複数枚の不織布（フェルト類）に限り縫合したりするもの」（【０００２】）があったが、「ニードルフェルティングによる刺繍は、羊毛等のフェルティング用生地（フェルト生地）によって各種の模様を衣服等に形成するものであり、複数枚の布を縫合するものではない。一方、ニードルフェルティングによる複数枚の布の縫合は、不織布同士を積層縫合するものであり、その不織布の繊維同士を絡ませることによって縫合する。このため、不織布以外の複数の布を縫合することはできない」（【０００４】）ものであった。
（イ）そこで、本件発明１は、「不織布以外の布においても、その複数枚を縫合し得て、かつ強固に縫合することを課題」（【０００５】）として、「複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合する」ことにより、「布の種類に拘わらず、複数枚の布を容易にかつ強固に縫合することができるとともに、その縫合線はニードルフェルティングによる刺繍と同形状となり、布の縫合と刺繍を同時に行い得るものとなる」（【００１２】）ようにしたものである。
イ．（ア）一方、甲１によれば、従来より、針棒の下端部に複数の針を装着可能なミシンには、「針棒の下端部に設けられた針止め金具に、水平方向に所定距離離隔した位置において２つの針取付穴が形成され、これら２つの針取付穴に水平方向に装着されたビスにより夫々２本の針が固着される」ものや「針棒の下端部に、２つの針抱きが水平方向に装着されたビスで夫々固定されており、これら２つの針抱きに夫々２本の針が取付ビスで固着される」（【０００２】）ものがあったが、前者では「２つの針取付穴の離隔距離が大きい場合には、針棒の下端部に固定される針止め金具の水平方向の長さが長くなり、縫製時に針棒を上下動させる際のミシンモータの負荷が大きくなってしまう」（【０００４】）、後者では「２つの針抱きが夫々水平方向に装着された２つのビスで直接針棒に固定されているため、縫製中に針棒を上下動させる駆動力がこれら２つのビスにも繰り返し作用することになる。特に、２つの針の離隔距離が大きい場合には、２つのビスに大きな力が繰り返し作用するため、ビスのネジ部が劣化したり破損したりして、針棒から針抱きを取り外すことが困難になる虞がある」（【０００５】）との課題があった。
（イ）そこで、甲１発明は「縫製用の第１の針と針棒の下端部から水平方向に所定距離離隔した第２の針とを容易に着脱可能に構成すること」（【０００６】）で、「針取付具に、前記針棒と第２の針とを挟持する方向に締結部材が装着され、締結部材を締結することにより第１、第２の挟持部で針棒と第２の針とを挟持するように構成したので、針棒の下端部に固定された針抱きに第１の針を固定するビス等の取付具に針棒が上下動する際の駆動力が作用せず、取付具が破損したりあるいは劣化したりするのを防止でき、常に第１の針を針抱きから容易に取り外すことができる。また、第２の針を針取付具を介して針棒に装着するため、その際に、針抱きを針棒から取り外す必要がなく、第２の針の取付け作業が容易になる」（【００６２】）ようにしたものである。
　そうすると、甲１発明は、複数枚の布を縫針により縫合する通常縫製のための構成と、加工布に刺繍的な装飾模様をパンチング針で形成するニードルパンチング加工のための構成の両方を備えることを前提として、針棒の下端部に固定された針抱きに縫針１３を固定することで、常に縫針１３を針抱きから容易に取り外すことができるようにし、また、パンチング針１４を針取付具を介して針棒に装着することで、上記課題を解決するものである。
（ウ）ここで、縫製用の第１の針に対して、第２の針を「パンチング針１４（フェルティングニードルともいい、第２の針に相当する）」（【００２１】）とすることにより、「縫針１３（第１の針に相当する）を装着した状態では、上糸と下糸を交絡させてベッド部１に戴置された加工布に縫目を形成する通常縫製を行うことができ」（【００２０】）、「パンチング針１４（フェルティングニードルともいい、第２の針に相当する）を装着した状態では…上糸や下糸を用いずに加工布８０に刺繍的な装飾模様を形成するニードルパンチング加工を加工布８０に施すことができる」（【００２１】）。そして、「針棒上下動機構３１により針棒３０を上下動させると、縫針１３の目孔１３ａから下方へ延びる上糸が、針板１１の下側に位置する釜機構１０の剣先により捕捉された状態で天秤３２により上方に引き上げられて、加工布に縫目が形成されていく」（【００４４】）という通常縫製に係る構成は、複数枚の布を縫針により縫合する通常のミシンの構成と共通するから、この通常縫製が、複数枚の布を縫針により縫合するような、通常のミシンで行われる縫製を意味することは、当業者にとって明らかである。
（２）本件発明１と甲１発明との対比
　甲１発明の「パンチング針１４」は、本件発明１の「フェルティング針」に相当する。同様に、「加工布８０」は「布」に、「保護カバー４６」は「安全カバー」に、「毛糸８１を前後方向に案内する案内穴４８ｆ」は「毛糸ガイド」に、「上下動」は「昇降」に、「針棒上下動機構３１」は「昇降する手段」に、「案内し」は「導き」に、「施して」は「行って」に、それぞれ相当する。
　また、「針板１２」と「縫合台」とは、布を載置する台という限りにおいて一致する。「円形穴４８ｅ」の個所と「縫合個所」とは、ニードルフェルティングが行われる個所という限りにおいて一致する。
　そうすると、本件発明１と甲１発明との一致点 、相違点は以下のとおりである。
＜一致点＞
　ミシンであって、布を載置する台と、フェルティング針と、そのフェルティング針を覆う安全カバーと、毛糸ガイドと、布に向かってフェルティング針を昇降する手段と、を有し、毛糸を毛糸ガイドによってニードルフェルティングが行われる個所に導き、フェルティング針を昇降させることにより、ニードルフェルティングを行うミシン。
＜相違点１＞
　本件発明１は、「複数枚の布（１ａ、１ｂ）を重ね、その重ねた布（１ａ、１ｂ）の縫合箇所に毛糸（２）を載せ、その毛糸（２）も含めて前記複数枚の布（１ａ、１ｂ）を突き通すニードルフェルティングを行い、前記毛糸（２）の繊維（２ａ）を前記複数枚の布（１ａ、１ｂ）の繊維に絡ませてその複数枚の布（１ａ、１ｂ）を縫合するミシン」であって、「上記複数枚の布（１ａ、１ｂ）を重ねて載置する縫合台（１６）」を備えるのに対して、甲１発明は、「ミシン本体に上下動自在に配設された針棒３０と、この針棒３０の下端部に縫製用の目孔１３ａ付きの縫針１３を固定する為の針抱き３３と、前記縫針１３を用いて縫製する際に針棒３０の下方において糸を捕捉する釜機構１０とを備えたミシン」であって、「前記針棒３０から水平方向に所定距離離隔して位置するパンチング針１４と、前記針棒３０を挟持可能な第１の挟持部５１とパンチング針１４を挟持可能な第２の挟持部５２とを有しパンチング針１４を針棒３０に取付ける為の針取付具５０と、前記パンチング針１４が通過する針穴１２ａを有し、加工布８０及び毛糸８１を重ねて戴置するニードルパンチング加工用の針板１２とを備え、前記針取付具５０に、前記針棒３０とパンチング針１４とを挟持する方向にビス５５〜５７が装着され、ビス５５〜５７を締結することにより第１、第２の挟持部５１、５２で針棒３０とパンチング針１４とを挟持するように構成し、ヘッド部４の針棒３０の下端部に縫製用の縫針１３を装着した状態では、上糸と下糸を交絡させてベッド部１に戴置された加工布８０に縫目を形成する通常縫製を行うことができ、針棒３０から水平方向左方に所定距離離隔した位置にパンチング針１４を装着した状態では、ベッド部１上の加工布８０の上に重ねた装飾材としての毛糸８１を加工布８０に押し込んで、上糸や下糸を用いずに加工布８０に刺繍的な装飾模様を形成するニードルパンチング加工を加工布８０に施すことができ」る点
＜相違点２＞
　毛糸ガイドが、本件発明１では「フェルティング針（３）を覆う安全カバー（１２、１２’）の下端」に設けられているのに対して、甲１発明では「ニードルパンチング用の保護カバーホルダ４５に取付けられ、そのパンチング針１４を覆う透明な合成樹脂製の保護カバー４６の下方の、保護カバーホルダ４５の左端部に取付金具４７を介して取付けられた布押え４８の前壁部４８ｂに形成」されている点
＜相違点３＞
　毛糸を、本件発明１では「ボビン又は毛糸玉（Ｂ）から上記毛糸（２）を前記毛糸ガイド（１３、１３’）によって上記縫合個所に導」くのに対して、甲１発明では「毛糸８１を案内穴４８ｆによって後方へ案内し、さらに、押え部４８ａの上側から円形穴４８ｅを通って押え部４８ａの下側に出し」ている点
（３）相違点１について
ア．本件発明１は、第５．２．（１）ア．で述べたように、「複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合する」ことにより、「布の種類に拘わらず、複数枚の布を容易にかつ強固に縫合することができるとともに、その縫合線はニードルフェルティングによる刺繍と同形状となり、布の縫合と刺繍を同時に行い得るものとなる。」（本件特許明細書【００１２】）という効果を奏するものであるから、複数枚の布を縫合する場合は、ニードルフェルティングにより行うことになる。
　一方、甲１発明は、第５．２．（１）イ．で述べたように、複数枚の布を縫合する場合には縫針で縫製し、パンチング針では加工布に刺繍的な装飾模様を形成することを前提として、針棒の下端部に固定された針抱きに縫針１３を固定することで、常に縫針１３を針抱きから容易に取り外すことができるようにし、また、パンチング針１４を針取付具を介して針棒に装着することで、パンチング針１４の取付け作業が容易になるようにしたものである。そのため、甲１発明において、複数枚の布を縫合する場合には、縫製用の縫針１３を用いることが想定されているのであり、パンチング針１４により複数枚の布を縫合することは、通常の使用方法では想定されるものではないから、パンチング針１４によりあえて毛糸で複数枚の布を縫合しようとする動機がない。そのため、甲２や甲３に、複数の材料を重ね、その重ねた複数の材料を突き通すニードルフェルティングを行い、材料の繊維を他の材料の繊維に絡ませることが記載されているとしても、甲１発明のミシンにおいてパンチング針１４により毛糸で複数枚の布を縫合しようとする動機がない以上、本件発明１のように「複数枚の布（１ａ、１ｂ）を重ね、その重ねた布（１ａ、１ｂ）の縫合箇所に毛糸（２）を載せ、その毛糸（２）も含めて前記複数枚の布（１ａ、１ｂ）を突き通すニードルフェルティングを行い、前記毛糸（２）の繊維（２ａ）を前記複数枚の布（１ａ、１ｂ）の繊維に絡ませてその複数枚の布（１ａ、１ｂ）を縫合するミシン」とすることはできない。
　請求人は、「複数枚の布を重ね、その重ねた布の縫合箇所に毛糸を載せ、その毛糸も含めて前記複数枚の布を突き通すニードルフェルティングを行い、前記毛糸の繊維を前記複数枚の布の繊維に絡ませてその複数枚の布を縫合する」ことは、甲２事項又は甲３事項から容易であると主張する（第３．３．（２））。しかし、甲２は複数の材料をフェルティングによってもつれた固まりに結合することを、甲３は複数の基布をニードルパンチングによって一体化することを、それぞれ開示するにとどまり、どちらも、複数枚の布と毛糸という組合せではないから、相違点１に係る縫合を開示しているとはいえない。
イ．請求人は、フェルティングは、フェルティングを行う者により様々なものを創造して作ることができるものであり、その中には、例えばリボンや星形に切り抜いた布を被服やバックに載置して、毛糸と共に刺繍的に取り付けることもあることは普通に考えられることであると主張し、その証拠として甲１０の１を提出している。そして、このように、例えばベースとなる被服やバックと、リボンや星形に切り抜いた布と、毛糸と、のような３つ以上の被加工物を加工したい場合には、甲１発明のミシンを用いることが可能であることから、甲１発明のミシンでニードルパンチング加工により複数枚の布を縫合するものに換えることがあると主張する（第３．３．（４）ア．）。
　しかし、甲１０の１事項によれば、手順６は、以下の（ア）〜（ウ）を繰り返すものである（なお、手順６の解釈に当事者間の争いはない（請求人要領書（３）３頁６〜７行、被請求人要領書（３）２頁２１〜２３行）。
「（ア）　針を１／２インチ前に動かし、ギザギザした針の先端に毛糸を引っ掛ける。
（イ）　毛糸を１／４インチ引き戻す。
（ウ）　（差し引き１／４インチ分の）毛糸をアップリケ、基布（ベスト）の順に差し込み、基布（ベスト）の裏側に小さなループが見えるようにする。」
　ここで、甲１発明のパンチング針１４は複数本のニードル（甲１【００３６】「パンチング針１４は、複数（例えば、５本）の針本体部１４ａと、これら複数の針本体部１４ａを保持し且つ針取付具５０の第２挟持部５２に挟持される針保持部１４ｂとを有する。」）であって、甲１０の１の手順６で用いられているような１本針のニードルではない。さらに、甲１発明のミシンには、パンチング針１４を１／２インチ前に動かし、ギザギザした針の先端に毛糸を引っ掛け、引っ掛けた毛糸を１／４インチ引き戻すというような動作をさせる機構もない。そうすると、甲１発明のニードルパンチング加工に係る構成により甲１０の１の手順６に係る刺繍を行い得るとは解せないから、そのような甲１発明において甲１０の１の手順６に係る刺繍を行おうとする動機がなく、また、そのようにすることには阻害要因があるというべきである。
　また、請求人は、複数枚の布を毛糸とフェルティングして縫合することは技術常識であるとも主張する（第３．３．（４）イ．）。しかし、当該主張の証拠として提出された甲１０の１では、手順４で複数枚の布（ベスト、葉っぱのアップリケ）を仮縫いし、手順５で複数枚の布をしっかりとフェルティングし、手順６ではこの一体化された複数枚の布に対して後述のように毛糸で刺繍している。そうすると、手順４で仮縫いをしていることからすれば、手順６は、複数枚の布を縫合しようとするものではなく、単に、葉脈の飾りを刺繍するものというべきであり、このような証拠のみから、複数枚の布を毛糸とフェルティングして縫合することが技術常識であったということはできない。
　また、仮に甲１発明のニードルパンチング加工に係る構成により甲１０の１の手順６に係る刺繍を行ったとしても、縫合としてではなく刺繍として行うのであるから、甲１発明において、ニードルパンチング加工により、複数枚の布を縫合するものに換えることにはならない。
　したがって、請求人の主張は採用できない。
ウ．請求人は、甲１に記載されたミシンでは、通常縫製と、刺繍的な装飾模様を形成するニードルパンチング加工とが、同時に行われることはないから、甲１の「ひとまとまりの構成及び技術的思想」として、通常縫製に係る構成を抽出する必要はなく、ニードルパンチング加工に係る構成を抽出すれば足りる旨を主張する（第３．２．）。
　しかし、上記（１）イ．で述べたように、甲１発明は、通常縫製のための構成と、ニードルパンチング加工を行うための構成の両方を備えたものを前提とするものであり、甲１発明の糸による縫合は通常縫製に係る構成により行うところ、毛糸による縫合に係る本件発明１との対比において、そのような通常縫製に係る構成を省いて甲１発明を認定すべきではなく、請求人の主張は採用できない。
エ．相違点１の縫合枚数の相違に関し、請求人は、複数枚の布を縫合することは使い方に属するものであって、物の発明としての構成を何ら特定するものではない旨を主張する（第３．３．（１））。しかし、相違点１は、複数枚の布の縫合を縫針による通常縫製により行うのか、ニードルフェルティングにより行うのかに係る相違であって、単に使い方に属するものであって物の発明としての構成を何ら特定するものではないとすることはできない。
　また、請求人は、甲１発明でも、ニードルフェルティングにより複数枚の布を毛糸で縫合できるとも主張する（第３．３．（１）、（３））。しかし、そのような縫合は甲１に記載されておらず、上記ア〜ウのとおりそのように縫合する動機もない。
　したがって、請求人の主張は採用できない。
オ．また、提出された他の証拠にも、上記相違点１に係る縫合は開示されていない。
　そうすると、甲１発明において、縫製用の縫針１３による縫合に代えて、刺繍用のパンチング針１４により相違点１に係る縫合を行うことは、提出された全証拠をもってしても、当業者が容易に想到し得たこととはいえない。
（４）相違点２について
ア．本件発明１の毛糸ガイドは、安全カバーの下端に設けられているから、「安全カバーの下端の毛糸ガイドから縫合糸となる毛糸を縫合部に導き、布の送りに伴って前記毛糸を縫合部に繰り出すこと」（【０００７】）となり、安全カバーの下端において「各布１の縫合線に沿うように…ガイド１３により導」（【００１７】）かれた毛糸に、安全カバーに覆われて上下動するフェルティング針を確実かつ安全に突き刺すことができるものである。
　一方、甲１発明の案内穴４８ｆは、毛糸８１を、布押え４８の前壁部４８ｂの外側から内側へと通過させ、押え部４８ａの上側に送る「穴」であり、これを、安全カバーの下端に設けられた毛糸ガイドに換える動機は見当たらない。また、仮に、甲１発明の案内穴４８ｆを備える布押え４８と保護カバー４６とを一体化して「安全カバー」とし、案内穴４８ｆの位置を、該安全カバーの下端すなわち押え部４８ａに変更したとすると、加工布８０を押える押え部４８ａの案内穴は加工布８０で塞がれているのだから、毛糸８１を、押え部４８ａの外側から内側へと通過させることができないことになる。したがって、このように変更することには阻害要因があるというべきである。
イ．請求人は、毛糸ガイドが、安全カバーの下端に設けられるのか、下方に設けられるのかは、毛糸を前後方向に案内するという機能が同じである以上、実質的な相違点とはなりえず、また仮に、実質的な相違点であるとしても、毛糸ガイドと安全カバーが、甲１のように別体とされるものを、本件発明１のように一体とすることは、単なる設計事項であると主張する（第３．４．（１））。しかし、本件発明１の毛糸ガイドと甲１発明の案内穴４８ｆとでは設けられている位置が明確に相違しており、また、この点は、上記ア．のとおり、単なる設計事項ということはできない。
ウ．請求人は、甲１発明の「案内穴４８ｆを備える布押え４８」及び「保護カバー４６」を一体化する際に、甲６の「毛糸ガイド用の横孔９が下端近傍に形成される筒体６」又は甲１４の「毛糸ガイド用の切欠き６が下部に形成される筒体５」を甲１発明の「案内穴４８ｆを備える布押え４８」及び「保護カバー４６」に適用して置換すれば、毛糸ガイドが形成される位置が「下端」か「下端近傍」、「下部」である点を除けば、本件発明１における「そのフェルティング針（３）を覆う安全カバー（１２、１２’）の（下端の）毛糸ガイド（１３、１３’）」と同じ構成となり、さらに、糸を孔でガイドするか溝でガイドするかは、何れも公知技術（甲１５）であり、何れの方式でガイドするかは設計事項といえるから、孔を溝として毛糸ガイドが形成される位置を「下端近傍」、「下部」から「下端」に変更することは容易である旨を主張する（第３．４．（２）ア．）。
　しかし、甲６の横孔９は、「まず、筒体６の横孔９から透孔６ａに毛糸１１を通してから、厚紙等からなる板材２０を筒体６の下端とベースよりわずかに突出したストツパー１６との間に挿入する。この状態で把手１２を下方に押すと、押圧軸７が下降し、筒体６の透孔６ａの下端付近に位置する毛糸１１は押圧軸７の凹部８中に嵌入した状態で斜壁６ｂに沿つてしごかれつつ、板材２０を貫通してストツパー１６の受孔１７中に押し込まれ、この動作中毛糸１１はストツパー１６の上端と筒体６の下端との間で挟持されるため、板材２０の上面側にはたるみができず、縫われた側の糸は引つ張られず、ストツパー１６の受孔１７中に押し込まれた毛糸１１のみがたるむ。」（甲６の２頁左欄２１行〜同右欄４行）とあるように、筒体６の下端に対して斜壁６ｂを挟んだ上方に位置することを要するから、その位置を筒体６の下端に変更し得るものではない。
　また、甲１４の切欠きは、「側方から糸を受入れ略水平に支承するための切欠き」（甲１４の実用新案登録請求の範囲）とあるように、糸を（下から）略水平に支承するものであり、筒体の下端に対して支承する部分（切欠きの下側）を挟んだ上方に位置することを要するから、その位置を筒体の下端に変更し得るものではない。
　そうしてみると、仮に甲１発明の「案内穴４８ｆを備える布押え４８」及び「保護カバー４６」を一体化する際に、甲６の「毛糸ガイド用の横孔９が下端近傍に形成される筒体６」又は甲１４の「毛糸ガイド用の切欠き６が下部に形成される筒体５」を甲１発明の「案内穴４８ｆを備える布押え４８」及び「保護カバー４６」に適用して置換したとしても、その状態から更に、毛糸ガイドが形成される位置を安全カバーの下端へと変更することに動機がなく、また、そのようにすることには阻害要因があるというべきである。
エ．請求人は、甲１５の第１〜２図に、保護筒２２の前面から下面に亘って形成される溝が開示されていると指摘する（第３．４．（２）イ．）。しかし、甲１５の第１〜２図から看取される溝については、甲１５の考案の詳細な説明では何の説明もされておらず、この溝がどのように糸６を導くのか不明であるから、「糸のガイド」であるということはできない。このような、毛糸ガイドの構成や配置を開示又は示唆していない甲１５事項に基いて、甲１発明の毛糸ガイドの構成や配置を設計変更することが、当業者にとって容易であったということはできない。
オ．よって、甲１発明において、相違点２に係る構成を備えることが、当業者にとって容易に想到し得たこととはいえない。
（５）本件発明１の効果について
　そして本件発明１は、相違点１、２に係る発明特定事項を備えることで、安全カバーの下端において「各布１の縫合線に沿うように…ガイド１３により導」（【００１７】）かれた毛糸に、安全カバーに覆われて上下動するフェルティング針を確実かつ安全に突き刺して、「布の種類に拘わらず、複数枚の布を容易にかつ強固に縫合することができるとともに、その縫合線はニードルフェルティングによる刺繍と同形状となり、布の縫合と刺繍を同時に行い得るものとなる」（【００１２】）という格別な効果を奏するものである。
（６）小括
　上記（３）、（４）のとおり、本件発明１と甲１発明とは少なくとも相違点１、２で相違するから、本件発明１は甲１発明ではなく、また、相違点１、２は当業者が容易に想到することができたものとはいえず、上記（５）のとおり本件発明１は格別な効果を奏するから、相違点３について検討するまでもなく、本件発明１は、甲１発明に基いて、当業者が容易に発明をすることができたものでもない。
　よって、本件発明１は、特許法第２９条第１項第３号に該当せず、また、特許法第２９条第２項の規定に違反して特許されたものでもないから、その特許は同法第１２３条第１項第２号に該当しない。
３．本件発明２〜７についての判断
　本件発明２〜７は、本件発明１の発明特定事項をすべて包含するものであるから、上記２．と同様の理由により、当業者が容易に発明をすることができたものではない。
　よって、本件発明２〜７は、特許法第２９条第２項の規定に違反して特許されたものではないから、その特許は同法第１２３条第１項第２号に該当しない。
第６．むすび
　以上のとおり、本件発明１〜７に係る特許は、請求人の主張する無効理由及び証拠によっては無効とすることはできない。
　審判費用については、特許法第１６９条第２項の規定で準用する民事訴訟法第６１条の規定により、請求人の負担とする。 
　よって、結論のとおり審決する。